(57)【要約】      （修正有）【課題】メンテナンス作業、ロープ巻回作業が容易で、安全性に富んだエンドレス方式のウインチを提供する。【解決手段】駆動軸３が回転自在に軸支されたウインチ本体２と、該駆動軸３に取り付けられ、外周縁にロープを巻回する溝４の形成された巻回ドラム５から構成されたエンドレス方式のウインチにおいて、前記巻回ドラム５の外周には、ロープの溝４側への取り入れ、及び取り出し部分を除いて溝に沿って両端側を弾性体８に連結された移動ローラ体７が設けられ、且つ該移動ローラ体７の一部、又は全体が着脱自在・回動自在に構成されていることである。【選択図】図２
2015168580.tif 000002
【特許請求の範囲】
【請求項１】
駆動軸が回転自在に軸支されたウインチ本体と、該駆動軸に取り付けられ、外周縁に沿ってロープを巻回する溝の形成された巻回ドラムから構成されたエンドレス方式のウインチにおいて、前記巻回ドラムの外周には、ロープの溝側への取り入れ、及び取り出し部分を除いて溝に沿って両端側を弾性体に連結した移動ローラ体が設けられ、且つ該移動ローラ体の一部、又は全体が着脱自在に構成されていることを特徴とするエンドレス方式のウインチ。
【請求項２】
駆動軸が回転自在に軸支されたウインチ本体と、該駆動軸に取り付けられ、外周縁に沿ってロープを巻回する溝の形成された巻回ドラムから構成されたエンドレス方式のウインチにおいて、前記巻回ドラムの外周には、ロープの溝側への取り入れ、及び取り出し部分を除いて溝に沿って両端側を弾性体に連結した移動ローラ体が設けられ、且つ該移動ローラ体の一部、又は全体が回動自在に構成されていることを特徴とするエンドレス方式のウインチ。
【発明の詳細な説明】
【発明の詳細な説明】
【技術分野】
【０００１】本発明は、ウインチに関し、特にロープの端部がウインチに固定されることなく、ロープの中間部に設置するエンドレス方式のウインチに関する。【０００２】従来、エンドレス方式のウインチは、矩形状のウインチ本体と、該ウインチ本体に回転自在に軸支した駆動軸と、該駆動軸に取り付けられ駆動軸の回転に伴って回転する巻回ドラムと、該巻回ドラムの外周縁に沿って形成されロープを巻回する溝と、該溝へのロープの取り入れ及び取り出し部分を除いて溝に沿ってロープを押圧すべく設けられている移動ローラ体と、前記ロープを溝側に取り入れ移動、及び溝よりロープを取り出し移動すべくウインチ本体に回転自在に軸支した一対のガイドシーブから構成されている。【０００３】上記エンドレス方式のウインチは、一般的に球技用・ゴルフ練習場の防球ネットの開閉移動、昇降移動、大型テントの開閉移動、又は作業用ゴンドラの昇降作業用等に用いられる。【０００４】そして、前記巻回ドラムの溝に巻回されたロープは、ウインチ本体に取り入る側とウインチ本体より取り出す側とでロープにかかる荷重（防球ネット等の荷重）が相違し、一方が強く牽引され、他方は弛緩することとなる。【０００５】このため、エンドレス方式のウインチの移動ローラ体は通常、ガイドシーブ及び両端側を弾性体に連結した移動ローラ体（特開２０００−３５１５８０号、特許文献１）、移動ローラ体の端部側を別体の押圧部材で押圧（特開２０１３−２１２９２６号、特許文献２）され、ロープの弛緩部分を解消しながらスムーズにロープを移動する。
【発明が解決しようとする課題】
【０００６】しかしながら、上記エンドレス方式のウインチは、通常ロープの端部を一方側のガイドシーブより巻回ドラムの溝へ取り入れ、巻回ドラムを回転しながら溝に沿ってロープを巻回し、他方側のガイドシーブを介してロープを取り出すことで、ウインチにロープを取り付けるために、メンテナンス作業時等において、ロープを防球ネットより取り外した後、ロープを巻回ドラムの溝より引き出し、作業後に再度ロープを巻回ドラムの溝に巻回した後ネットに連結しなければならず、その作業が煩雑であるという欠点があった。
【０００７】また、移動ローラ体はロープの強い牽引側、弛緩側で摩耗量が相違し、ロープの交換が頻繁に行われるが、エンドレス方式のウインチからのロープの取り外し作業が煩雑であり、ロープの交換作業に時間を要するという欠点があった。
【０００８】さらに、移動ローラ体の端部側の押圧が強い場合にロープをスムーズに溝側へ移動できない欠点があった。
【０００９】そこで、本発明は上記課題を解決するものであって、巻回ドラムの溝へのロープの取り出し及び取り入れがスムーズで、メンテナンス作業等が容易で、しかも安全性に優れたエンドレス方式のウインチを提供することを課題とするものである。
【課題を解決するための手段】
【００１０】上記課題を解決する本発明の解決手段としてのエンドレス方式のウインチは、請求項１に記載のように、駆動軸が回転自在に軸支されたウインチ本体と、該駆動軸に取り付けられ、外周縁に沿ってロープを巻回する溝の形成された巻回ドラムから構成されたエンドレス方式のウインチにおいて、前記巻回ドラムの外周には、ロープの溝側への取り入れ、及び取り出し部分を除いて溝に沿って両端側を弾性体に連結した移動ローラ体が設けられ、且つ該移動ローラ体の一部、又は全体が着脱自在に構成されていることを特徴とする。
【００１１】また、上記課題を解決する他の解決手段としてのエンドレス方式のウインチは、請求項２に記載のように、駆動軸が回転自在に軸支されたウインチ本体と、該駆動軸に取り付けられ、外周縁に沿ってロープを巻回する溝の形成された巻回ドラムから構成されたエンドレス方式のウインチにおいて、前記巻回ドラムの外周には、ロープの溝側への取り入れ、及び取り出し部分を除いて溝に沿って両端側を弾性体に連結した移動ローラ体が設けられ、且つ該移動ローラ体の一部、又は全体が回動自在に構成されていることを特徴とする。
【発明の作用効果】
【００１２】本発明のエンドレス方式のウインチの作用効果について説明する。
【００１３】先ず、請求項１に記載のエンドレス方式のウインチは、エンドレス方式のウインチを設置し、ウインチ本体に設けられた移動ローラ体の一部、又は全体をウインチ本体より取り外して、巻回ドラムの溝の外周を開放する。
【００１４】この状態で無端状に架け渡されたロープを前記巻回ドラムの溝に巻回することでロープを取り付け、その後、移動ローラ体を再度溝に沿って取り付けることで、ロープを溝側に押圧することができる。
【００１５】これによって、ロープをエンドレス方式のウインチでスムーズに移動することができる。
【００１６】また、ロープをエンドレス方式のウインチより取り外す場合は、同様に移動ローラ体をウインチ本体より取り外し、ロープの溝側への押圧を解除し、ロープを巻回ドラムに溝より取り外す。
【００１７】そして、作業終了後、再度移動ローラ体をウインチ本体に取り付ける。
ことができ、エンドレス方式のウインチのメンテナンス作業等を容易に行うことができる。
【００１８】また、移動ローラ体によるロープの溝側への押圧も適切に行うことができる。
【００１９】次に、請求項２に記載のエンドレス方式のウインチは、ウインチ本体に設けられた移動ローラ体の一部、又は全体をウインチ本体に対して巻回ドラムと離反する方向に回動して巻回ドラムの溝に間を開放する。
【００２０】この状態で、巻回ドラムの溝に沿ってロープを巻回し、前記移動ローラ体を再度巻回ドラムの溝側に回動することで、ロープを溝側に押圧することができる。
【００２１】これによって、ロープを巻回ドラムの溝にスムーズに巻回することができる。
【００２２】また、ロープを溝より取り外す場合は、同様に移動ローラ体の一部、又は全体を巻回ドラムの溝より離反する方向に回動して巻回ドラムの溝の間を開放する。
【００２３】その後、溝よりロープを取り外し、ロープのメンテナンス作業等を行なって再度ロープを溝に沿って巻回し、移動ローラ体を再度溝側に回動して、ロープを溝側に押圧する。
【００２４】このように、本発明のエンドレス方式のウインチは、ロープが取り付けられた状況で容易にロープの取り換え作業、メンテナンス作業を行うことができ、また、エンドレス方式のウインチを設置した状態で容易にロープの交換作業等を行うことができる。
【００２５】また、テナンス作業等をスムーズに行うことができ、作業効率を格段に向上することができる。
【発明を実施するための最良の形態】
【００２６】次に、本発明のエンドレス方式のウインチについて図面を参照して説明する。【００２７】図１は本発明のエンドレス方式のウインチに用いる移動ローラ体の第１実施例示す概略説明平面図であり、図２は図１の移動ローラ体を設置したエンドレス方式のウインチ示す概略説明平面図であり、図３は移動ローラ体の第２実施例を示す概略説明平面図であり、図４は図３の開閉移動を示す概略説明平面図である。
【実施例１】
【００２８】本発明のエンドレス方式のウインチ１は、略矩形状のウインチ本体２と、該ウインチ本体２に回転自在に軸支され、駆動源（電動機、又は手動用ハンドル）に直接又は増減速機等を介して連結された駆動軸３と、該駆動軸３に取り付けられ駆動軸３の回転に伴って回転駆動し、外周縁に略Ｕ字状の溝４の形成された円形状の巻回ドラム５と、該巻回ドラム５の近傍でロープ（本発明において、ウインチワイヤー、牽引ロープその他ロープの総称として記載）をウインチ本体２の溝４へ取り入れ移動及び溝４よりの取り出し移動を案内し、前記ウインチ本体２に回転自在に軸支した一対のガイドシーブ６（６Ａ，６Ｂ）と、該ガイドシーブ６によりロープ２０を取り入れ及び取り出しする部分を除いて溝に沿って取り付けられ、両端側を弾性体８に連結した移動ローラ体７から構成されている。【００２９】前記移動ローラ体７は、複数個のローラ７Ａを連結して形成し、バネ等の弾性体８で両端側にテンションがかかった状態で略Ｕ字状の板体９に取り付けられ、且つ前記板体９はウインチ本体２に着脱自在に構成（ウインチ本体２にネジで螺号、又は溝にスライド移動等）されている。【００３０】尚、上記板体９は一体的に形成されたが、本発明において、板体９の形状はこれに限定されるものでなく、例えば、板体９を２分割された構成でもよく、一方側のみウインチ本体２より離脱可能に構成してもよい。【００３１】さらに、上記板体９の形状も上記略Ｕ字に限定されるものでなく、例えば、矩形状等でも可能である。【００３２】本発明のエンドレス方式のウインチ１は上記のように構成され、該エンドレス方式のウインチ１にロープを取り付ける場合について説明する。【００３３】先ず、設置されたエンドレス方式のウインチ１のウインチ本体２より移動ローラ体７を板体９ごと離脱する。【００３４】これにより、巻回ドラム５の溝４の外周は開放された状態となり、ロープを一方のガイドシーブ６Ａより取り入れ、巻回ドラム５の溝４に沿って巻回した後、他方のガイドシーブ６Ｂより取り出すことで取り付けることができる。【００３５】その後、ウインチ本体２に板体９を再度取り付けることで、移動ローラ体７を巻回ドラム５の溝４に沿って巻回し、巻回されたロープを溝４側に押圧することができる。【００３６】また、メンテナンス作業時は板体９をウインチ本体２より離反することで、ロープを溝４より容易に離反して作業を行なうことができる。【００３７】このように、板体９をウインチ本体２より着脱することで、移動ローラ体７を巻回ドラム５の溝４より離反してロープを容易に巻回及び離脱することができる。【００３８】また、エンドレス方式のウインチ１を設置した状態でロープを自在に取り付け及び取り外しでき、作業効率を格段に向上することができる。【００３９】また、その構成が簡易であり、頻繁なメンテナンス作業を必要としない。
【実施例２】
【００４０】実施例１では、板体９をウインチ本体２に着脱自在に構成したが、移動ローラ体７の取り付けはこれに限定するものでなく、板体９をウインチ本体２に対して回動自在に取り付けることも可能である。【００４１】この場合板体９を、弾性体８を取り付けた回動部分Ｒ及びＬが回動すべく板体９の頂点Ｍ部分をウインチ本体２に回動自在に軸支し、回動部分Ｒ，Ｌを溝４より離反する方向に回動し、ロープを巻回ドラム５の溝４に巻回した後、再度板体９を溝４側に回動してロープの巻回を行う。【００４２】これによって、エンドレス方式のウインチ１を設置した状態でロープを容易に取り付けることができる。【００４３】また、板体９の回動部分は上記２分割された構成部分を回動する場合に限定されるものでなく、例えば、移動ローラ体７の端部側のみを回動すべく構成してもよい。【００４４】また、移動ローラ体７は上記弾性体８間に取り付けたが、本発明において、移動ローラ体７の構成は、これに限定されるものでなく、例えば、中央部分で分割された構成でもよい。
【図面の簡単な説明】
【００４５】
【図１】本発明のエンドレス方式のウインチの移動ローラ体の第１実施例を示す概略説明平面図
【図２】図１の移動ローラ体を使用したエンドレス方式のウインチを示す概略説明正面図
【図３】本発明の移動ローラ体の第２実施例を示す概略説明平面図
【図４】図３の移動ローラ体の開閉移動を示す概略説明平面図
【図５】図３の移動ローラ体の開閉移動を示す概略説明平面図
【符号の説明】
【００４６】１−エンドレス方式のウインチ、２−ウインチ本体、３−駆動軸、５−巻回ドラム、７−移動ローラ体
【図１】
2015168580.tif 000003
【図２】
2015168580.tif 000004
【図３】
2015168580.tif 000005
【図４】
2015168580.tif 000006
【手続補正書】
【提出日】平成26年5月15日(2014.5.15)
【手続補正１】
【補正対象書類名】明細書
【補正対象項目名】００４５
【補正方法】変更
【補正の内容】
【００４５】
【図１】本発明のエンドレス方式のウインチに用いる移動ローラ体の第１実施例を示す概略説明平面図
【図２】図１の移動ローラ体を設置したエンドレス方式のウインチを示す概略説明平面図
【図３】移動ローラ体の第２実施例を示す概略説明平面図
【図４】図３の開閉移動を示す概略説明平面図